(57)【要約】【課題】  組立を容易に行うことができ、且つコンパクトに形成した回転式ヘッダーを提供する。【解決手段】  回転式ヘッダー１は、円筒状の案内筒３を備えた本体部２と、管継手２４が連結される管接続筒１６が複数個形成された継手部１２と、前記本体部２に接続される蓋部１８とから構成されており、前記本体部２に継手部１２を外嵌し、蓋部１８を本体部２に接続することで、継手部１２を本体部２に対し回転自在に結合した。【選択図】  図２
2005163955.tif 000002
【特許請求の範囲】
【請求項１】
円筒状の案内筒を備えた本体部と、管継手が連結される管接続筒が複数個形成された継手部と、前記本体部に接続される蓋部とから構成されており、前記本体部に継手部を外嵌し、蓋部を本体部に接続することで、継手部を本体部に対し回転自在に結合したことを特徴とする回転式ヘッダー。
【請求項２】
前記本体部は、床又は天井に取付可能な固定手段を備えたことを特徴とする請求項１記載の回転式ヘッダー。
【発明の詳細な説明】
【技術分野】
【０００１】
本発明は、家屋等の屋内における給水又は給湯配管等に使用されるヘッダーに関し、詳しくは、回転自在に構成されたヘッダーに関する。
【背景技術】
【０００２】
屋内配管において、台所や洗面所，浴室，トイレ等に設置された複数の器具に水や湯の供給を行うため、給水源や給湯源から供給される水や湯を目的の場所に分岐させるものに、ヘッダーが従来から広く知られている。このヘッダーは中空状金属管の一方向に多数の管接続筒が設けられ、この各管接続筒に管継手を介して給水管等の配管を接続し、給水管を目的箇所に向けて配設していた。しかし、管接続筒は分岐方向に自在性がないため、建築駆体との取合いを考慮して配管を無理に曲げて配設したり、また、配管の長さが必要以上に長くなるという不都合があり、これらの改善が望まれていた。そこで近年、この管接続筒の方向を自在に変更できる回転式ヘッダーが使用されるようになった。このような回転式ヘッダーとして公知のものに、特許文献１のものがある。
【０００３】
この特許文献１の回転式ヘッダーは、直管部の一端に形成された差し込み口と、直管部の他端に形成された受け口と、直管部の中間の一側に管接続筒が一体に形成されたＴ字管とをヘッダー単体としており、前記差し込み口に形成された嵌入溝には抜け止めリングが弾装され、嵌入溝の先端側に形成された嵌入凹溝にはパッキンが嵌着されている。この構成のヘッダー単体を複数個用意し、その必要数の単体について、各単体の差し込み口を隣接する単体の受け口に順次嵌合することで、ヘッダー単体同士を水密、かつ相互に回転自在に連結するものである。
【０００４】
【特許文献１】特開平１１−１４８５８８号公報
【発明の開示】
【発明が解決しようとする課題】
【０００５】
しかしながら、このような回転式ヘッダーは、個々のヘッダー単体同士を抜け止めリングを介して接続することで各々を回転させることができるが、個々のヘッダー単体は短く形成されているため、その抜け止めリングによる接続は１個ずつ行わなければならず、分岐する箇所が多数であればヘッダー単体を接続する個数も多くなり、接続作業に手間と時間とがかかるものであった。また、ヘッダー単体を数多く接続すると、ヘッダーの全長が長くなりすぎてしまい、ヘッダーの設置場所に苦慮していた。さらに、ヘッダーの全長が長くなると、給水源側に一番近い管接続筒と、給水源側から一番遠い管接続筒とでは、供給される水，湯の流量に差が生じてしまい、配管の末端に設置された水栓等の器具から吐水される水，湯の流量が不十分になる恐れがあった。しかも、このヘッダーを床又は天井等の取付面に取り付けるためには、Ｕ字型の吊具や固定具を使用しなければならず、手間のかかるものであった。
【０００６】
本発明は、このような従来の技術に存在する問題点に着目してなされたものであり、その目的は、組立を容易に行うことができ、且つコンパクトに形成された回転式ヘッダーを提供することである。
【課題を解決するための手段】
【０００７】
上記目的を達成するため、請求項１に記載の発明による回転式ヘッダーは、円筒状の案内筒を備えた本体部と、管継手が連結される管接続筒が複数個形成された継手部と、前記本体部に接続される蓋部とから構成されており、前記本体部に継手部を外嵌し、蓋部を本体部に接続することで、継手部を本体部に対し回転自在に結合したものである。
【０００８】
請求項２では請求項１記載の発明による管継手において、前記本体部は、床又は天井に取付可能な固定手段を備えたものである。
【発明の効果】
【０００９】
本発明の請求項１では、本体部に複数個の管接続筒が形成された継手部を外嵌し、蓋部を本体部に接続することで、継手部を本体部に対し回転自在に結合したので、管接続筒に対する配管の接続方向を自由に選択することができるうえ、従来のように継手部を１つずつ繋いで接続する必要がなく、ヘッダーの組立作業を容易且つ短時間に行うことができる。また、ヘッダーはコンパクトに形成されるので全長が短く、省スペースで配置することができ、各管接続筒から配管の末端の各器具に供給される湯水の流量に差が生じることがない。
【００１０】
また、請求項２では、前記本体部は、床又は天井等の取付面に取付可能な固定手段を備えているので、ヘッダーを取り付けるための吊具や固定具を使用することなく、ヘッダーを床や天井等の取付面に容易に固定することができる。
【発明を実施するための最良の形態】
【００１１】
以下、本発明の実施例を図に基づいて詳細に説明する。
【実施例１】
【００１２】
本発明の回転式ヘッダー１は、図１乃至図３に示すように、床や天井等の取付面に固定される本体部２と、該本体部２に対し回転自在に外嵌され、配管２５を接続するための管継手２４が接続可能な継手部１２と、本体部２に接続され、継手部１２が本体部２から抜け出さないようにするための蓋部１８とから構成されている。
【００１３】
前記本体部２は、図２及び図３に示すように、縦長の円筒形状に形成された案内筒３と、該案内筒３の一端に形成され、案内筒３より大径で薄板形状のフランジ９とから構成されている。
【００１４】
案内筒３は一端が開口され、その開口内周面には前記蓋部１８の雄ねじ２０が螺合される雌ねじ４が形成されている。また案内筒３には、その中心軸線方向に対し垂直方向に、供給された水，湯等の流体を分岐するための第１流路５が貫通して形成されている。該第１流路５は、案内筒３の外周面上に等間隔で複数個形成され、中心軸線方向にも等間隔で複数個（本実施例では合計１２個）形成されている。
【００１５】
前記第１流路５を挟んで上下両側の外周面上には溝孔６，６がそれぞれ形成されており、各溝孔６，６にはゴム等の弾性材から形成されたシール部材７と、合成樹脂等から形成された断面視略Ｖ字型のワッシャー８とが順に装着されている。このシール部材７及びワッシャー８は、継手部１２が本体部２に外嵌された際に、本体部２と継手部１２とを水密的にシールし、且つ継手部１２を本体部２に対し容易に回転可能とするものである。
【００１６】
前記フランジ９にはねじ孔１０が複数個形成されており、該ねじ孔１０に固定部材としてビス１１を螺着することで、本体部２を床や天井等の取付面に取り付けるものである。
【００１７】
前記継手部１２は、本体部２の案内筒３に回転自在に外嵌されるもので、円筒形状の継手本体１３と、該継手本体１３の外周面上に突出して形成された複数個の管接続筒１６とから形成されている。継手本体１３は、その内径が案内筒３の外径と略同一の円筒形状で、上下両端の内周面には環状の凹溝１４が形成されており、該凹溝１４には断面視略コ字型のワッシャー１５が装着されている。該ワッシャー１５は、図３に示すように、複数個の継手部１２が本体部２に対し外嵌された状態において、本体部２と継手部１２，隣接した継手部１２，１２同士，継手部１２と蓋部１８とをそれぞれスムーズに回転させるためのものである。
【００１８】
管接続筒１６は、継手本体１３より小径の円筒形状で、継手本体１３の外周面に等間隔で複数個（本実施例では４個）形成されており、該管接続筒１６は継手本体１３の中心軸線方向に対して垂直方向に形成されている。また、管接続筒１６の内周には本体部２の第１流路５と連通する第２流路１７が貫通して形成されている。なお、図４に示すように、管接続筒１６の先端には管継手２４が連結され、給水源，給湯源から水，湯が供給される供給管や、配管の末端に設置された水栓等の器具へ水、湯を供給する供給管等の配管２５が接続される。なお、継手部と管継手との接続方法は、継手部と管継手とをねじの螺合により接続するものや、係止具により継手部と管継手とを接続するものなど、特に限定されない。
【００１９】
前記蓋部１８は、本体部２の雌ねじ４に螺着される雄ねじ２０が外周面に形成された小径部１９と、本体部２の案内筒３より大径で薄板形状の大径部２１とから形成されており、小径部１９と大径部２１との間には環状溝２２が形成されている。該環状溝２２にはＯリング等のシール部材２３が装着されている。この蓋部１８は、各継手部１２を本体部２に外嵌させた後に本体部２に螺着することで、継手部１２が本体部２から抜けることを防止するものである。
【００２０】
本発明の回転式ヘッダー１を組み立て、床や天井等に設置するには、予め本体部２の各溝孔６にシール部材７及びワッシャー８を装着しておく。また同様に、継手部１２の各凹溝１４にワッシャー１５を装着しておく。
【００２１】
次に、本体部２の案内筒３に複数の継手部１２（本実施例では３個）を順に外嵌させた後、蓋部１８を案内筒３に螺着する。これにより継手部１２が本体部２から抜け出ることなく、また、本体部２に対し継手部１２を回転自在に装着することができる。
【００２２】
次に、ヘッダー１を床下や天井裏などの所定場所に移動させて、本体部２のねじ孔１０にビス１１を螺着させることで、ヘッダー１の設置が完了する。なお、継手部１２の管接続筒１６には管継手２４を連結するが、ヘッダー１を組み立てる前に予め連結しておいても、ヘッダーを組み立てた後に連結してもよい。
【００２３】
そして、図４に示すように、継手部１２を回転させて、管接続筒１６に接続した管継手２４の向きを配管２５の接続作業に適した方向に向けて、給水源，給湯源から水，湯が供給される供給管や、配管の末端に接続された水栓等の器具に水，湯を供給する給水管等の配管２５の接続作業を行えば、配管の接続作業が完了する。
【００２４】
以上のように、本発明の回転式ヘッダーによると、本体部に対し継手部が回転自在に装着されているので、継手部を回転させることで、配管の接続作業のし易い方向に容易に変更することができる。また、回転式ヘッダーはコンパクトに形成されているので、省スペースで設置することができる。
【図面の簡単な説明】
【００２５】
【図１】回転式ヘッダーの全体斜視図である。
【図２】回転式ヘッダーの分解斜視図である。
【図３】回転式ヘッダーの断面図である。
【図４】回転式ヘッダーに管継手及びパイプを接続した状態の斜視図である。
【符号の説明】
【００２６】
１  ：回転式ヘッダー
２  ：本体部
３  ：案内筒
９  ：フランジ
１２：継手部
１３：継手本体
１６：管接続筒
１８：蓋部
１９：小径部
２１：大径部
【図１】
2005163955.tif 000003
【図２】
2005163955.tif 000004
【図３】
2005163955.tif 000005
【図４】
2005163955.tif 000006